(57)【要約】      （修正有）【要約書】【課題】構造強度が高く、空気抵抗の低いラケットを提供する。【解決手段】ラケット１０は、フェースフレーム２０と、当該フェースフレーム２０から延出する連接部３０と、当該連接部３０の末端部３１に設けられるグリップとを一つずつ備える。当該ラケット１０の一例としてのバドミントンラケットは、前記連接部３０が真っ直ぐな棒状体である。前記フェースフレーム２０が、一つの内周面２２と、一つの外周面２５と、当該内周面２２と当該外周面２５の間に位置する二つの環状面２６とを有し、当該二つの環状面２６上の前記内周面２２に近接する部分が複数の凹溝２７を有し、かつ当該二つの環状面上の二つの凹溝２７が互いに向かい合って設けられることで前期内周面２２のエッジは波型に形成されることを特徴とする。【選択図】図1
0003135523.tif 000002
【実用新案登録請求の範囲】
【請求項１】
一つの内周面と、
一つの外周面と、
当該内周面と当該外周面の間に位置する二つの環状面とを有する一つのフェースフレームとを備え、
前記環状面上の前記内周面に近接する部分に複数の凹溝を有することで当該内周面のエッジが波型に形成される高強度で低空気抵抗のラケット。
【請求項２】
前記二つの環状面上の凹溝は互いに向かい合って設けられる請求項１に記載された高強度で低空気抵抗のラケット。
【請求項３】
前記二つの環状面の凹溝は互い違いに設けられる請求項１に記載された高強度で低空気抵抗のラケット。
【請求項４】
前記内周面は複数の頚部を有し、前記フェースフレームは当該各頚部の間に位置する複数のガット孔を有する請求項１に記載された高強度で低空気抵抗のラケット。
【請求項５】
前記内周面は複数の頚部を有し、前記フェースフレームは当該各頚部に位置する複数のガット孔を有する請求項１に記載された高強度で低空気抵抗のラケット。
【請求項６】
前記内周面は連続するＳ型からなる湾曲形状に形成される請求項１に記載された高強度で低空気抵抗のラケット。
【考案の詳細な説明】
【技術分野】
【０００１】
本考案は運動器材に関するものであって、特に高強度で低空気抵抗のラケットに関する。
【背景技術】
【０００２】
一般に、バドミントンラケット、テニスラケット、スカッシュラケットのようなラケットは、フェースフレームと、当該フェースフレームから延出する連接部と、連接部の開放された側に設けられるグリップとを一つずつ備えるが、前記フェースフレームの横断面は略矩形状であって空気抵抗が大きく、業界においては、ラケットを振る際の空気抵抗をいかにして減少させるかが開発の焦点となっている。また、フェースフレームはガットの張力を支える必要があるとともに最も外力を受けやすい部分でもあることから、構造的に最も壊れやすい部分となっており、そのため、フェースフレームの構造強度をいかに強化するかということも、業界において解決が望まれる重要課題である。
【考案の開示】
【考案が解決しようとする課題】
【０００３】
本考案は、構造強度が高く、空気抵抗の低いラケットを提供することを目的とする。
また、本考案は、極めて高いコントロール性能を有する高強度で低空気抵抗のラケットを提供することを目的とする。
また、本考案は、使用寿命が比較的長い高強度で低空気抵抗のラケットを提供することを目的とする。
【課題を解決するための手段】
【０００４】
このような目的を達成するために、本考案が提供する高強度で低空気抵抗のラケットは、フェースフレームと、当該フェースフレームから延出する連接部と、連接部の開放された側に設けられるグリップとを一つずつ備え、前記フェースフレームは、一つの内周面と、一つの外周面と、当該内周面と当該外周面の間に位置する二つの環状面とを有し、さらに、前記環状面上の前記内周面に近接する部分に複数の凹溝を有することで、当該内周面のエッジは波型に形成される。
【考案を実施するための最良の形態】
【０００５】
本考案の特徴をより明確にするために、以下に六つの実施の形態と、図面の説明を記載する。
図１を参照すると、本考案の実施の形態１が提供する高強度で低空気抵抗のラケット１０は、フェースフレーム２０と、当該フェースフレーム２０から延出する連接部３０と、当該連接部３０の末端部３１に設けられるグリップ(図示しない)とを一つずつ備える。本実施の形態では当該ラケット１０の一例としてバドミントンラケットを挙げており、前記連接部３０は真っ直ぐな棒状体である。
【０００６】
本考案は、前記フェースフレーム２０が、一つの内周面２２と、一つの外周面２５と、当該内周面２２と当該外周面２５の間に位置する二つの環状面２６とを有し、当該二つの環状面２６上の前記内周面２２に近接する部分が複数の凹溝２７を有し、かつ当該二つの環状面上の二つの凹溝２７が互いに向かい合って設けられることで前期内周面２２のエッジは波型に形成されることを特徴とする。さらに、当該内周面２２は一つの平滑な円環面であって、フェースフレーム２０の中心位置からこれを見てみると、図２に示すとおり、当該内周面２２は互いに向かい合う二つの凹溝２７の間に位置する複数の頚部２３を有し、当該各頚部２３の間は比較的広幅な頭部２４となって前記内周面２２を広幅と狭幅が交互に配列された瓢箪状に形成し、図３、図４に示す当該頭部２４と当該頚部２３部分のフェースフレーム２０の断面形状から明らかなように、当該フェースフレーム２０は前記各頚部２３の間に位置する複数のガット孔２８を有す、ことを特徴とする。
【０００７】
前記二つの環状面２６と前記内周面２２との間には前記凹溝２７が設けられるため、ラケットを振る際のフェースフレーム２０の受風面積を小さくし、当該ラケット１０の空気抵抗を効果的に減少させ、コントロール性能を高めることができるほか、前記フェースフレーム２０の周壁２９が曲折状に形成されることから、当該フェースフレーム２０の構造強度を強化し、ラケット１０の使用寿命を延長することができる。
【０００８】
本考案は、テニスラケット、スカッシュラケットなど類似製品に応用可能であるだけでなく、フェースフレームの構造について種々の変形例が考えられる。図５は、本考案の実施の形態２が提供するラケット４０を示しており、内周面４４の頚部４６にフェースフレーム４１のガット孔４２が設けられている。図６は本考案の実施の形態３が提供するラケット５０を示しており、二つの環状面５２上の凹溝５４が互い違いに設けられることで、内周面５６は連続したＳ型からなる湾曲形状に形成される。
【０００９】
図７は本考案の実施の形態４が提供するラケット６０を示しており、二つの環状面６２上の凹溝６４はフェースフレーム６６の一部にのみ設けられ、かつ一部の領域Ｓにおいては環状面６２の片側のみに前記凹溝６４が設けられている。また、図８は本考案の実施の形態５が提供するテニスラケット７０を示しており、フェースフレーム７２の一部の領域Ｓにおいて二つの環状面７４上に二つの凹溝７６が向かい合って設けられている。図９は、本考案の実施の形態６が提供するスカッシュラケット８０を示しており、フェースフレーム８２の一部の領域Ｓにおいて二つの環状面８４上に二つの凹溝８６が向かい合って設けられている。これら容易に想到可能な変形例は、いずれも本考案の権利範囲に含まれる。
【図面の簡単な説明】
【００１０】
【図１】本考案の実施の形態１における立体図である。
【図２】本考案の実施の形態１における局部投影図である。
【図３】図２の３-３方向に沿った断面図である。
【図４】図２の４-４方向に沿った断面図である。
【図５】本考案の実施の形態２における局部投影図である。
【図６】本考案の実施の形態３における局部投影図である。
【図７】本考案の実施の形態４における部分立体図である。
【図８】本考案の実施の形態５における立体図である。
【図９】本考案の実施の形態６における立体図である。
【符号の説明】
【００１１】
１０：ラケット、２０：フェースフレーム、２２：内周面、２３：頚部、２４：頭部、２５：外周面、２６：環状面、２７：凹溝、２８：ガット孔、２９：周壁、３０：連接部、３１：末端部、４０：ラケット、４１：フェースフレーム、４２：ガット孔、４４：内周面、４６：頚部、５０：ラケット、５２：環状面、５４：凹溝、５６：内周面、６０：ラケット、６２：環状面、６４：凹溝、６６：フェースフレーム、Ｓ：領域、７０：テニスラケット、７２：フェースフレーム、７４：環状面、７６：凹溝、８０：スカッシュラケット、８２：フェースフレーム、８４：環状面、８６：凹溝、
【図１】
0003135523.tif 000003
【図２】
0003135523.tif 000004
【図３】
0003135523.tif 000005
【図４】
0003135523.tif 000006
【図５】
0003135523.tif 000007
【図６】
0003135523.tif 000008
【図７】
0003135523.tif 000009
【図８】
0003135523.tif 000010
【図９】
0003135523.tif 000011